(57)【要約】【課題】個々のユーザに適応すると共にネットワーク負荷条件及び消費電力を改善することができるネットワークシステム及びその制御方法を提供する。【解決手段】第１の装置と、第２の装置と、第１の装置及び第２の装置と夫々所定のネットワークを介して接続された第３の装置とを備えるネットワークシステムにおいて、第３の装置は第２の装置を利用するユーザの要求に基づき所定の第１の情報を第１の装置へ送信し、第１の装置は第３の装置から送信される所定の第１の情報を受信した際に所定の位置情報を第３の装置へ送信し、第３の装置は第１の装置から送信される所定の位置情報を受信した際に所定の第２の情報を第２の装置へ送信し、第２の装置は第３の装置から送信される所定の第２の情報を受信した際に所定の情報を第３の装置へ送信し、第３の装置は第２の装置から送信される所定の情報を表示する。【選択図】図６
2007180839.tif 000002
【特許請求の範囲】
【請求項１】
第１の装置と、第２の装置と、前記第１の装置及び前記第２の装置と夫々所定のネットワークを介して接続された第３の装置とを備えるネットワークシステムであって、
前記第３の装置は、前記第２の装置を利用するユーザの要求に基づき所定の第１の情報を前記第１の装置へ送信する第１の送信手段と、前記第１の装置から送信される所定の位置情報を受信した際に所定の第２の情報を前記第２の装置へ送信する第２の送信手段と、前記第２の装置から送信される所定の情報を表示する表示手段とを備え、
前記第１の装置は、前記第３の装置から送信される前記所定の第１の情報を受信した際に、前記所定の位置情報を前記第３の装置へ送信する位置情報送信手段を備え、
前記第２の装置は、前記第３の装置から送信される前記所定の第２の情報を受信した際に、前記所定の情報を前記第３の装置へ送信する情報送信手段を備えることを特徴とするネットワークシステム。
【請求項２】
前記第３の装置は、前記第１の装置から送信される所定の位置情報を受信した際に、前記所定の位置情報に基づき前記第３の装置の位置を識別する識別手段を備え、前記第２の送信手段は、前記識別手段による識別結果を含む前記所定の第２の情報を送信することを特徴とする請求項１記載のネットワークシステム。
【請求項３】
前記第２の装置は、前記第３の装置から送信される前記所定の第２の情報を受信した際に、前記所定の第２の情報に基づき所定の機能を検出する検出手段を備え、前記情報送信手段は、前記検出手段による検出結果を含む前記所定の情報を送信することを特徴とする請求項１又は２記載のネットワークシステム。
【請求項４】
第１の装置と、第２の装置と、前記第１の装置及び前記第２の装置と夫々所定のネットワークを介して接続された第３の装置とを備えるネットワークシステムの制御方法であって、
前記第３の装置は、前記第２の装置を利用するユーザの要求に基づき所定の第１の情報を前記第１の装置へ送信し、
前記第１の装置は、前記第３の装置から送信される前記所定の第１の情報を受信した際に、前記所定の位置情報を前記第３の装置へ送信し、
前記第３の装置は、前記第１の装置から送信される所定の位置情報を受信した際に所定の第２の情報を前記第２の装置へ送信し、
前記第２の装置は、前記第３の装置から送信される前記所定の第２の情報を受信した際に、前記所定の情報を前記第３の装置へ送信し、
前記第３の装置は、前記第２の装置から送信される所定の情報を表示することを特徴とするネットワークシステムの制御方法。
【請求項５】
前記第３の装置は、前記第１の装置から送信される所定の位置情報を受信した際に、前記所定の位置情報に基づき前記第３の装置の位置を識別し、当該識別結果を含む前記所定の第２の情報を送信することを特徴とする請求項４記載のネットワークシステムの制御方法。
【請求項６】
前記第２の装置は、前記第３の装置から送信される前記所定の第２の情報を受信した際に、前記所定の第２の情報に基づき所定の機能を検出し、当該検出結果を含む前記所定の情報を送信することを特徴とする請求項４又は５記載のネットワークシステムの制御方法。
【発明の詳細な説明】
【技術分野】
【０００１】
本発明は、ネットワークシステム及びその制御方法の分野に関する。本発明は、ネットワークの負荷条件の改善、及びパーソナルサービスの提供の分野に関する。本発明は、特に、コントローラ装置及び被制御装置間の比較的高効率の検出プロセスによるネットワーク電力消費量、ユーザパーソナル装置の管理、及びユーザ間の条件付きメッセージングの少なくとも１つの分野に関する。
【背景技術】
【０００２】
ホームネットワークアーキテクチャは、一般に、IETF SLP(Service Location Protocol)、UPnP Forum SSDP(Simple Service Discovery Protocol)、Apple Rendezvous又は等価の装置検出プロトコルを含む。上記ホームネットワークアーキテクチャは、ＵＰｎＰ（ユニバーサルプラグアンドプレイ）、Ｊｉｎｉ等である。上記UPnP Forum SSDP、Apple Rendezvousの仕様は、IETF Zeroconf RFC(Request for Comments)又は旧式のＩＥＴＦドラフトを引用する。
【０００３】
このような検出プロトコルは、エンドユーザに利点をもたらすプラグアンドプレイ動作を実施するために使用され、即ち、装置がネットワークにプラグインすると、全ての検出プロトコルは、この装置を自動的に検出し、直ちに使用することができる。
【０００４】
このような装置の自動検出は、ＰＤＡ、遠隔制御装置、又はネットワーク内外の携帯電話等の無線装置、及びこれらを携帯するユーザにとって重要である。しかしながら、自動検出は、非携帯装置にも関連する。これらの装置は、ユーザが随意に電源を入れたり切ったりすることができるので、その意味でネットワークに入る、又はネットワークから出ることができる。検出プロトコルは、装置がこの新しいアドレスで名乗るためのメカニズムを提供し、これにより、全ての関係クライアントは、確実にこの新しいアドレスに気付くことになる。装置は、ユーザの視点からホームネットワークから出ない、又はホームネットワークに入らない場合でも、ネットワークの視点からはネットワークから出る、又はネットワークに入ることになる。従って、装置の検出は、装置が店舗から家庭に持ち込まれ、ホームネットワーク内に配置された時点で行われる１回限りのことではない。むしろ、検出は、ユーザ又はアプリケーションが特定タイプの装置を使用且つ制御することを望む時毎に行う必要があるセットアップ工程である。
【０００５】
ピア（peer）ネットワーク構築及びその検出プロトコルをセルフインストールすることにより構成するＵＰｎＰプラグアンドプレイ・ピアネットワーク構築の原理として、ＳＳＤＰ（Simple Service Discovery Protocol）がある。このＳＳＤＰは、ネットワーククライアントが、静的構成がほとんど又は全くない状態で、ネットワークサービスを検出することができるメカニズムを提供する。ＳＳＤＰは、マルチキャスト検出サポート、並びにサーバベースの通知及び検出経路指定を規定することによりこれを達成する。ＵＰｎＰ仕様は、ＵＰｎＰフォーラム企業団体のインターネットウェブサイト（http://www.UPnP.org/resources/default.asp）から公的に入手可能である。
【０００６】
ＵＰｎＰ技術は、家庭用オーディオビジュアルネットワークの検出メカニズムを含むアーキテクチャとしてますます一般的になりつつある。このアーキテクチャは、ＵＰｎＰフォーラムと呼ばれる企業団体が開発し、インテリジェントアプリケーション、無線装置、オーディオビジュアル装置及びＰＣの広範囲にわたるピアツーピア（peer-to-peer）ネットワーク接続を定義するものである。このアーキテクチャは、ＩＰアドレス指定、装置及びサービスの検出、イベントの通知、並びに制御動作を提供するための既存の規格を結合する。
【０００７】
ＵＰｎＰネットワークの基本的なビルディングブロックは、デバイス（装置）、サービス及び制御ポイントである。ＵＰｎＰデバイス（装置）はサービス及びネスト状装置のコンテナである。異なるカテゴリのＵＰｎＰデバイス（装置）は、異なる集合のサービス及び組み込まれた装置に対応する。例えば、ＶＣＲ内のサービスは、プリンタ内のサービスとは異なる。特定の装置が提供するサービスの集合、及び特定の装置に関連する特性のリストは、装置内では、装置が差配しなければならないディスクリプション・ドキュメント（description document）と呼ばれる。好ましくは、この装置のディスクリプション・ドキュメントは、拡張マークアップ言語（ＸＭＬ）で書かれる。ネットワーク装置は、ネットワークに追加されると、組み込まれた装置及びサービスを知らせるＧＥＮＡアドバタイズメント（advertisement）を送信する。ＵＰｎＰフォーラムは、共通の装置アーキテクチャに従って、ＵＰｎＰ装置及びサービス・ディスクリプションを定義する。各々の適切なサービス・ディスクリプション・ドキュメントに対するユニフォーム・リソース・ロケータ（ＵＲＬ）等のポインタは、装置ディスクリプション・ドキュメント内に含まれる。装置は、また、複数のサービスを含む。ＧＥＮＡアドバタイズメントは、ＳＳＤＰでＨＴＴＰＭＵ上を送信される。制御ポイントは、検出メッセージを同報通信することにより、検査要求を送信する。
【０００８】
ＳＳＤＰ、即ちＵＰｎＰに関連する検出プロトコルに注目すると、ＳＳＤＰは、２つのプロセス、即ちアドバタイズメント及びサーチを含む。ＵＰｎＰが可能な装置がネットワークに追加されると、ＵＰｎＰ検出プロトコルによれば、その装置がネットワーク上の制御ポイントにその装置のサービスを通知することができる。装置が、ネットワークに追加されると、組み込まれている装置及びサービスを通知する検出メッセージの同報通信を行う。そして、組み込み装置番号「ｄ」及び装置内の組み込みサービス番号「ｋ」を有する装置は、周期的な間隔で連続的に繰り返されるメッセージの３＋２ｄ＋ｋ個もの多数のアドバタイズメント群を送信する。関連するどの制御ポイントも、これらのサービスが使用可能であることを示す通知のための標準のマルチキャストアドレスを聴取することが可能である。
【０００９】
ＵＰｎＰに関連する第２の検出プロセスは、サーチプロセスである。制御ポイントは、サーチリクエストとしても周知であるＳＳＤＰ検出メッセージの同報通信を行うことにより、ネットワーク装置をサーチする。サーチリクエストは、特定のサーチ基準を満たすあるネットワーク装置及び／又は全てのネットワーク装置をターゲットとすることができる。
【００１０】
こうしたサーチ基準の例としては、装置のタイプ及び提供されるサービスが挙げられる。全てのネットワーク装置は、これらのメッセージの標準マルチキャストアドレスを聴取し、ネットワーク装置に組み込まれている装置又はサービスの何れかが検出メッセージのサーチ基準に適合するか否かを応答しなければならない。一般に、制御ポイントは、全ての装置及び関連するサービスのネットワークをサーチすることができる。これらのサーチ要求メッセージは、ベンダ固有の情報、例えば装置又はサービスのタイプ及び識別子を含む。
【００１１】
これらのタイプの装置に関するＵＰｎＰ運営委員会が定義する装置又はサービスのタイプは、サーチ要求メッセージに追加される。この情報は、ＨＴＴＰＭＵを使用して送信されるＳＳＤＰ内に封入される。これらのサーチリクエストに対する応答は、ＨＴＴＰＵを使用するＳＳＤＰヘッダと共にユニキャストＵＤＰを使用して送信される。サーチリクエストに対する応答としては、アドバタイズメントタイプ検出メッセージに関する類似の情報が挙げられる。こうした情報の例としては、ネットワーク装置ＩＰアドレス、ソースポート及び装置ディスクリプションＵＲＬが挙げられる。
【００１２】
ＵＰｎＰネットワークの制御ポイントは、その他の装置を検出且つ制御することが可能なコントローラである。ネットワーク装置の検出後、制御ポイントは、装置のディスクリプションを検索し、対応するサービスのリストを取得し、使用可能なサービスディスクリプションを検索し、サービスを制御するための動作を呼び出す。制御ポイントも、サービスの状態が変化する時は常に、イベントサーバがイベントを制御ポイントに送信するようにサービスのイベントソースに同意する。
【００１３】
ＵＰｎＰは、開放標準プロトコル、例えばＴＣＰ／ＩＰ、ハイパーテキストトランスポートプロトコル（ＨＴＴＰ）及びＸＭＬを使用する。これらの標準化されたプロトコルを使用すると、ベンダの実施間の相互接続を確保するのに役立つ。その他の技術を使用して、装置を互いにネットワーク化することも可能である。こうした技術としては、家庭用オーディオ・ビデオ相互接続（ＨＡＶｉ）、家庭用電子バス（ＣＥＢｕｓ）、Lon Works、欧州装置バス（ＥＩＢ）又はＸ１０が挙げられる。これらも、ＵＰｎＰブリッジ又はプロキシを介してＵＰｎＰネットワークに参加することができる。
【００１４】
サービスをネットワーク上でアドバタイズする装置のＳＳＤＰの第１のプロセスは、ユーザの存在又は近接に関係なく作動する。
【００１５】
特許文献１には、ネットワーク化された周辺装置、及びそれらの地理的ロケーションを把握しているホストコンピュータを使用するための装置及び方法が記載されている。この実施の形態では、ホストコンピュータは、周辺装置のサービスに対するリクエストに、ホストコンピュータの地理的位置を含む場合がある。
【００１６】
リクエストを満たすのに最適な周辺装置は、リクエストするユーザホストコンピュータに対する選択した周辺装置の物理的近接及び／又は選択した装置の能力に基づいて選択される。
【００１７】
これらの欠点は、記載されているこうしたシステムはピアツーピアネットワークと対照的に、ほとんど、マスター・スレーブ関係のコンピュータネットワークに適用される点である。さらに、こうしたシステムは、プラグアンドプレイプロトコルにより生成されるメッセージの品質を低下させてネットワーク負荷条件を改善しようとしない点である。一方、こうしたシステムは、この負荷を軽減しようとするのではなく、検出メッセージトラフィックを誘発する検出メカニズムに基づく。提案されている方法では、ユーザコンピュータのみが装置に対するリクエストを送信し、従って、ＵＰｎＰ等の検出メカニズムには適用されず、サービス提供装置は、サービスの正規の告知をネットワーク上に送信することに注意するべきである。エンドユーザ識別の使用に関して、又こうした識別から得られる利点に関しても言及されていない。
【特許文献１】米国特許第６，６７８，７５０号明細書
【発明の開示】
【発明が解決しようとする課題】
【００１８】
上述したように、ネットワーク化された装置のユーザにとって有益な、所謂プラグアンドプレイの側面を達成するために使用される検出方法であって、そのためにホームネットワーク装置の使用及び構成をより容易にする検出方法に関係なく、先行技術でまったく解決されていない全ての方法に共通な新しい課題が見いだされた。
【００１９】
こうした新たな第１の課題は、検出プロトコルが、例えば潜在的なユーザが装置の付近に存在しないために必要ない場合でも、追加のネットワークトラフィックを生成し、従って、こうした検出プロトコルメッセージは、メインディジタルＡＶメディアトラフィックのために、ネットワークに使用可能な帯域幅を無駄に減少させることである。コンテンツに使用可能な帯域幅（場合により、「アプリケーションレベルの処理能力」とも呼ばれる）の減少は、ネットワークにとって重要な問題であり、無線ネットワーク等の帯域幅が限られたネットワークにとっては重大である。例えば、ＵＰｎＰシステムの状況でこうした問題を具体的に示すと、サービスを提供するＵＰｎＰ装置は、ＵＰｎＰ制御ポイント（コントローラ）が付近に存在しない場合にもサービスアドバタイズメントを送信するか、又はＵＰｎＰ制御ポイントは、付近に存在しない装置に対しても、ネットワーク上を伝播するサービスサーチを送信する。
【００２０】
第２の課題は、バッテリを電源とする装置（多くは無線接続された装置）の場合であり、検出プロトコルメッセージのアドバタイズメント部分の生成及び送信に必要なエネルギー消費量により、バッテリのドレンが無駄になることである（こうした装置は、通常、アイドル／動作時間の比率が高く、こうした問題はさらに重大になる）。例えば、ＵＰｎＰ等の検出プロトコルにより、サービス提供ＵＰｎＰ装置は、サービス消費装置（制御ポイント）が付近に存在しない場合にも、プリゼンスアドバタイズメントメッセージを一定の間隔で送信しなければならず、これらの装置も、コントローラが付近に存在しない（従って、サービスの推定コンシューマが存在しない）場合にも、コントローラが送信するサーチリクエストに応答しなければならない。
【００２１】
第３の課題は、検出プロトコルトラフィックの最適化に無関係であるが、装置メッセージング手段により、ＡＶホームシステムを様々なユーザの異なる専門的知識レベルに適応させることである。ユーザによっては、例えば、ホームフォトプリンタのインク不足等、装置により発生するあるタイプのイベントを処理することができるが、ユーザによっては処理できない。本発明は、ユーザアイデンティティ、ユーザプロファイル及びユーザロケーションの知識を利用して、この問題を解決する。さらに、本発明は、ユーザ間メッセージングに基づく単純なコンテキスト（ロケーション）に対して解決方法を提供するために利用することができる（例えば、母親は、息子が学校の宿題時間にＴＶを見ている場合／時に、本発明により条件付きで送信されるメッセージを記録する）。
【００２２】
本発明の目的は、個々のユーザに適応すると共にネットワーク負荷条件及び消費電力を改善することができるネットワークシステム及びその制御方法を提供することにある。
【課題を解決するための手段】
【００２３】
上記目的を達成するために、請求項１記載のネットワークシステムは、第１の装置と、第２の装置と、前記第１の装置及び前記第２の装置と夫々所定のネットワークを介して接続された第３の装置とを備えるネットワークシステムであって、前記第３の装置は、前記第２の装置を利用するユーザの要求に基づき所定の第１の情報を前記第１の装置へ送信する第１の送信手段と、前記第１の装置から送信される所定の位置情報を受信した際に所定の第２の情報を前記第２の装置へ送信する第２の送信手段と、前記第２の装置から送信される所定の情報を表示する表示手段とを備え、前記第１の装置は、前記第３の装置から送信される前記所定の第１の情報を受信した際に、前記所定の位置情報を前記第３の装置へ送信する位置情報送信手段を備え、前記第２の装置は、前記第３の装置から送信される前記所定の第２の情報を受信した際に、前記所定の情報を前記第３の装置へ送信する情報送信手段を備えることを特徴とする。
【００２４】
請求項４記載のネットワークシステムの制御方法は、第１の装置と、第２の装置と、前記第１の装置及び前記第２の装置と夫々所定のネットワークを介して接続された第３の装置とを備えるネットワークシステムの制御方法であって、前記第３の装置は、前記第２の装置を利用するユーザの要求に基づき所定の第１の情報を前記第１の装置へ送信し、前記第１の装置は、前記第３の装置から送信される前記所定の第１の情報を受信した際に、前記所定の位置情報を前記第３の装置へ送信し、前記第３の装置は、前記第１の装置から送信される所定の位置情報を受信した際に所定の第２の情報を前記第２の装置へ送信し、前記第２の装置は、前記第３の装置から送信される前記所定の第２の情報を受信した際に、前記所定の情報を前記第３の装置へ送信し、前記第３の装置は、前記第２の装置から送信される所定の情報を表示することを特徴とする。
【発明の効果】
【００２５】
本発明によれば、第３の装置は第２の装置を利用するユーザの要求に基づき所定の第１の情報を第１の装置へ送信し、第１の装置は第３の装置から送信される所定の第１の情報を受信した際に所定の位置情報を第３の装置へ送信し、第３の装置は第１の装置から送信される所定の位置情報を受信した際に所定の第２の情報を第２の装置へ送信し、第２の装置は第３の装置から送信される所定の第２の情報を受信した際に所定の情報を第３の装置へ送信し、第３の装置は第２の装置から送信される所定の情報を表示するので、個々のユーザに適応すると共にネットワーク負荷条件及び消費電力を改善することができる。
【発明を実施するための最良の形態】
【００２６】
以下、本発明の実施の形態を明瞭且つ具体的に説明するために、本発明の原理について、主に本発明の代表的な実施の形態を参照する。特に、２種類のカテゴリの無線ホームネットワークを介して接続されたコントローラ装置と被制御装置間の基本的な検出メカニズムとしてＵＰｎＰを使用する家庭環境におけるネットワーク化オーディオビジュアル装置を含む例示的な実施の形態に関して説明する。
【００２７】
しかしながら、当業者は、同じ原理を、１つの一意の無線ネットワークのみを使用するか、又は２つのネットワークに対する有線及び無線ネットワークの組合せを使用し、装置を検出するためのその他のメカニズムを使用して、どのタイプのネットワーク化装置にも等しく適用され、こうした装置に実施することが可能であることを認識することができる。さらに、こうした変形例は、本発明の真の精神及び範囲から逸脱しない修正の範囲内であることを容易に認識することができる。
【００２８】
本発明の原理に従って、プラグアンドプレイ検出プロセスに対して生成されたプロトコルメッセージにより生成されたオーディオビジュアルホームネットワーク上のトラフィックを減少させるための方法、及びユーザが部屋内のネットワーク化被制御オーディオビジュアル装置付近にいる場合に、本発明のユビキタスコントローラのユーザに対して送信される装置メッセージ又はユーザメッセージを提供する。
【００２９】
図１は、本発明の実施の形態に係るネットワークシステムの構成を概略的に示すブロック図である。
【００３０】
特に、図１は、本発明の原理に基づくネットワーク化オーディオビジュアル装置１０６，１０７（第２の装置）、特定のユーザ１０８が所有且つ使用するユビキタスパーソナルコントローラ１０５（第３の装置）、及びロケーションベース装置１０３，１０４（第１の装置）のネットワークシステム１００の例示的な実施の形態を示す。ネットワークシステム１００は、２つの無線通信ネットワークを備え、第１のネットワークは、ユビキタスパーソナルコントローラ１０５とロケーションベース装置１０３，１０４との間の通信手段を確立するためのジグビー等の短距離／低速度制御無線ネットワーク１０１であり、第２のネットワークは、長距離／高速度オーディオビジュアル無線ネットワーク１０２であり、従来、IEEE 802.Hg／ワイファイ（WiFi）無線ネットワーク等のオーディオビジュアルストリームを送信し、ネットワーク化オーディオビジュアル装置１０６，１０７とユビキタスパーソナルコントローラ１０５との間の通信手段を確立することができる。
【００３１】
図２は図１におけるユビキタスパーソナルコントローラ１０５、図３はネットワーク化オーディオビジュアル装置１０６、図４はロケーションベース装置１０３のハードウェア構成を概略的に示すブロック図である。
【００３２】
本実施の形態において、ネットワーク化オーディオビジュアル装置１０７は図３のネットワーク化オーディオビジュアル装置１０６と、ロケーションベース装置１０４は図４のロケーションベース装置１０３と同様の形態である。
【００３３】
図２〜図４において、２００，３００及び４００は各々ＣＰＵを表し、２０７，３０４及び４０４は各々バスを表し、２０５，３０３及び４０３は各々後述する処理手順を記憶するためのＲＯＭを表し、２０１，３０１及び４０１は各々ＲＡＭを示す。ＲＡＭ２０１，３０１及び４０１は、夫々、ユビキタスパーソナルコントローラ１０５の場合はユーザアイデンティティ及び後述する図７のユーザロケーションテーブル７００、ロケーションベース装置１０３の場合は部屋識別、ネットワーク化オーディオビジュアル装置１０６の場合は、後述する図８のユーザメッセージテーブル８００及び図９の装置メッセージテーブル９００を記憶するために使用される。
【００３４】
図２において、２０３は、短距離／低速度制御無線ネットワーク１０１に対する無線制御ネットワークインターフェースを表し、２０４は、長距離／高速度オーディオビジュアル無線ネットワーク１０２に対する無線オーディオビジュアル・ネットワーク・インターフェースを表し、当業者は、ユビキタスパーソナルコントローラ１０５が、ネットワーク化オーディオビジュアル装置１０６，１０７の他に、オーディオビジュアル機能を更に含むことができ、オーディオビジュアル情報のコンシューマ又はプロバイダで良いことを認識するであろう。
【００３５】
図２において、２０２は、プリゼンスボタンを表し、このボタンは、この実施の形態ではユーザプリゼンスボタンとして説明されているが、ユビキタスパーソナルコントローラ１０５に含まれる音声認識手段、指紋認識手段等、その他の等価な手段でもよい。２０６は、ユーザメッセージテーブル８００内に記憶されるユーザメッセージ及び装置メッセージテーブル９００内に記憶される装置メッセージを表示するためのメッセージディスプレイを表し、これらのテーブルについては、後述する。
【００３６】
図３において、３０２は、ネットワーク化オーディオビジュアル装置１０６，１０７と、ユビキタスパーソナルコントローラ１０５との間の通信手段を構成する長距離／高速度オーディオビジュアル無線ネットワーク１０２に対する無線オーディオビジュアル・ネットワーク・インターフェースを表し、３０５は、ＤＶＤプレイヤ、ＴＶディスプレイ若しくは等価なオーディオビジュアル機能等の何らかのオーディオビジュアル機能、又はネットワーク化オーディオビジュアル装置１０６，１０７による長距離／高速度オーディオビジュアル無線ネットワーク１０２上のＵＰｎＰ等の従来のサービス及びデバイス検出プロトコル、若しくは等価なプロトコルによりアドバタイズされるサービスを表す。
【００３７】
図４において、４０２は、短距離／低速度制御無線ネットワーク１０１に対する無線制御ネットワークインターフェースを表す。
【００３８】
図５は、当業者には十分に公知のプロトコルメッセージ交換ダイヤグラムであり、先行技術を示す。
【００３９】
ＵＰｎＰに関連する検出プロセスは、２つのプロセス、アドバタイズメント及びサーチを含む。ＵＰｎＰ対応デバイスがネットワークに追加されると、ＵＰｎＰ検出プロトコルは、そのデバイスのサービスをネットワーク上の制御ポイントに告知することができる。
【００４０】
デバイスは、ネットワークに追加される場合、組み込まれているデバイス及びサービスを告知する検出メッセージの同報通信を行う。関連する制御ポイントは、標準のマルチキャストアドレスを聴取し、新たなサービスが利用可能であることを通知する。
【００４１】
図５（Ｂ）は検出プロセスの部分を示し、ネットワーク化被制御オーディオビジュアル装置５０５は、電源が投入されるか、又はネットワークに接続されると、そのオーディオビジュアル機能又はサービスの告知を同様の形態でネットワーク上に送信する。ネットワーク化被制御オーディオビジュアル装置５０６は、電源が遮断されると、そのオーディオビジュアル機能又はサービスが使用できないことを告知する。ＵＰｎＰ方式における、こうした告知は、ＵＰｎＰのプロトコルスタックを介して行われ、より正確には、５０１Ｂ，５０２Ｂの信号を、ＩＰマルチキャストチャネル／アドレス５００上における送信により、ネットワーク上に送信される。
【００４２】
ＵＰｎＰに関連する第２の検出プロセスは、サーチプロセスである。制御ポイント５０４は、サーチリクエストとしても周知のＳＳＤＰ検出メッセージを同報通信することにより、ネットワークデバイスをサーチする。こうしたサーチリクエストは、特定のサーチ基準を満たす任意の及び／又は全てのネットワークデバイスをターゲットにすることができる。こうしたサーチ基準の例としては、デバイスタイプ及び提供されるサービスが挙げられる。全てのネットワークデバイスは、こうしたメッセージの標準マルチキャストアドレスを聴取し、ネットワークに組み込まれているデバイス又はサービスが、検出メッセージのサーチ基準に適合するか否かを応答しなければならない。全体として、制御ポイント５０４は、全てのデバイス及びデバイスに関連するサービスについてネットワークをサーチすることができる。
【００４３】
図５（Ａ）は、ＵＰｎＰ検出プロセスのこの部分を示し、電源が投入されるか又はネットワークに接続されると、ネットワーク化コントローラ（制御ポイント）５０４は、ＩＰマルチキャストチャネル／アドレス５００上でサーチリクエスト信号５０１Ａを送信する。ネットワーク化被制御オーディオビジュアル装置５０５，５０６は、同一のＩＰマルチキャストチャネル／アドレス５００上で、こうしたサーチリクエスト信号５０１Ａを聴取する。タイプがリクエストと一致するネットワーク化被制御オーディオビジュアル装置５０５は、制御ポイント５０４の参照／アドレスを含むＩＰユニキャスト信号５０２Ａを送信して応答し、後に制御ポイント５０４との通信を確立する。
【００４４】
図６は、上述したＵＰｎＰ等の従来のプラグアンドプレイ検出プロセスに先立って行われる本発明の実施の形態の完全な方法を示す。
【００４５】
図７は、２つの領域、即ちユーザアイデンティティ領域７０１及び部屋領域７０２を有する少なくとも１つのレコードを含むＲＡＭ２０１内に記憶されたユーザロケーションテーブル７００を示す。部屋領域７０２は、最初は空白であり、ユーザアイデンティティ領域７０１は、単純なディップスイッチ又は同等の単純な手段により、本実施の形態内で手動で構成されるか、又はユビキタスパーソナルコントローラ１０５内に組み込まれた音声認識モジュール又は指紋認識機能の使用等、比較的複雑なメカニズムを使用することができ、次に、短距離／低速度制御無線ネットワーク１０１を介して、登録されたホームユーザのアイデンティティを含むローカル又は遠隔データベースに更にアクセスする。
【００４６】
ロケーションベース装置１０３，１０４は、本実施の形態の家庭環境の部屋毎に、２個以上のセットでインストールされ、夫々のネットワークインターフェースを通して、又はシリアルリンクを通して局所的に、夫々のＲＡＭ４０１に部屋識別情報又は何らかの等価な地理的情報を含むように更に構成されるか、又はこうした情報を自動的にロケーション決定装置、例えばＧＰＳモジュールから取得する。ロケーションベース装置１０３，１０４は、短距離／低速度制御無線ネットワーク１０１上で、後述する第１の信号の受信を永久的に監視する。
【００４７】
図６において、本発明のプロセスの第１のステップは、ユビキタスパーソナルコントローラ１０５を保持し、部屋内のネットワーク化オーディオビジュアル装置１０６，１０７付近に存在するユーザ１０８が、こうしたネットワーク化オーディオビジュアル装置１０６，１０７を作動させることを望み、プリゼンスボタン２０２を押したときに開始する。
【００４８】
第２のステップでは、ユビキタスパーソナルコントローラ１０５が、短距離／低速度制御無線ネットワーク１０１上で、ユーザアイデンティティ情報を含む第１の信号６００を送信する。ロケーションベース装置１０３，１０４は、こうした信号の受信を連続的に監視し、プリゼンスボタン２０２が操作されることによって送信された信号６００を検出した後に、ロケーションベース装置１０３，１０４は第２の信号６０１の送信を開始する。
【００４９】
第３のステップでは、ユビキタスパーソナルコントローラ１０５は、信号６００の送信後に、こうした信号６０１を連続的に監視し、短距離／低速度制御無線ネットワーク１０１上の無線範囲における全てのロケーションベース装置から受信した相対的信号強度毎に、ユーザ１０８と同じ部屋内に位置する２個の（又は、本実施の形態の各部屋内にある比較的大きい一定数のロケーションベース装置１０３，１０４）のロケーションベース装置により送信される最も強力な２つの信号６０１を区別する。その結果、ユビキタスパーソナルコントローラ１０５は、ユーザ１０８が、プリゼンスボタン２０２を操作した時点で位置する部屋を識別することができる。ユーザロケーションテーブル７００の部屋領域７０２は、上記のステップで取得した部屋識別である。
【００５０】
第４のステップでは、ユビキタスパーソナルコントローラ１０５は、ユーザアイデンティティ情報と、ユーザ１０８が現在位置する部屋識別とを含む第３の信号６０２の送信を開始する。第３の信号６０２の送信は、長距離／高速度オーディオビジュアル無線ネットワーク１０２上で行われる。
【００５１】
第５のステップでは、ネットワーク化オーディオビジュアル装置１０６，１０７は、信号６０２の受信する際に、こうした信号６０２の受信を連続的に監視する。本実施の形態では、ネットワーク化オーディオビジュアル装置１０６，１０７は、これらがインストールされた部屋の部屋識別を使って、手動で構成され、この情報は、ＲＡＭ３０１内に記憶される。当業者は、ネットワーク化オーディオビジュアル装置１０６，１０７が、上述の例においては、他の手段を介しても部屋識別を取得することができことを認識することができる。また、本実施の形態の２つの無線ネットワークは同じ性質であり、信号は全ての装置間で通信することができる。したがって、当業者は、信号６０１を監視することにより、ユビキタスパーソナルコントローラ１０５が使用する方法と同じ方法で、即ち信号強度を測定することにより部屋識別情報を取得し、ロケーションベース装置１０３，１０４から来る最も強力な２つ（又は、本実施の形態では比較的大きい一定数）の信号により決定することができることを認識することができる。
【００５２】
ネットワーク化オーディオビジュアル装置１０６，１０７は夫々のＲＡＭ３０１内に、受信信号６０２に含まれると共にこれらの装置が部屋内のユーザ１０８付近にいることを示す部屋識別情報と一致する部屋識別を有する場合にのみ、従来のＵＰｎＰ検出プロトコルに従って、図５（Ｂ）に示すアドバタイズプリゼンス信号５０１Ｂを送信する。
【００５３】
本実施の形態では、ＵＰｎＰ制御ポイントに作用するユビキタスパーソナルコントローラ１０５は、従来のＵＰｎＰ検出プロトコルに従って、図５（Ａ）に示すサーチリクエスト信号５０１Ａの送信も開始する。
【００５４】
したがって、サーチリクエスト信号５０１Ａ及びアドバタイズプリゼンス信号５０１Ｂは、ユーザ１０８の存在及び意図により要求された時点でのみ送信される。
【００５５】
本実施の形態により、ネットワーク化オーディオビジュアル装置１０６，１０７は、更に信号６０２に含まれる情報を使用して更に結果を取得する。図８は、数個のレコードを含むユーザメッセージテーブル８００を示し、各々のレコードは、装置のタイプ領域８０１、ユーザ領域８０２、部屋識別領域８０３、条件領域８０４、ユーザメッセージ領域８０５を含む。こうしたユーザメッセージテーブル８００は、ネットワーク化オーディオビジュアル装置１０６，１０７のＲＡＭ３０１内に記憶され、予期する結果に応じて手動で開始され、本実施の形態では、ユーザメッセージテーブル８００は、ユーザメッセージ領域８０５に「宿題を行うに進む」、条件領域８０４に「ＴＶオン」、ユーザ領域８０２に「息子」、装置のタイプ領域８０１に「ＴＶ」で開始する。
【００５６】
図９は、各々のレコードが、装置のタイプ領域９０１、ユーザ領域９０２、ユーザプロファイル領域９０３、装置メッセージ領域９０４を有する数個のレコードを含む装置メッセージテーブル９００を示す。こうした装置メッセージテーブル９００は、ネットワーク化オーディオビジュアル装置１０６，１０７のＲＡＭ３０１内に記憶される。装置メッセージテーブル９００の以下の領域、即ち装置タイプの領域９０１、ユーザ領域９０２、及び装置のタイプ領域９０１が指示する装置のタイプに関するイベントを処理する時に、ユーザ領域９０２により識別されるユーザの能力を表す値を有するユーザプロファイル領域９０３は、手動で開始される。以下の領域は、装置の現在の条件に従って、装置メッセージテーブル９００を含むネットワーク化オーディオビジュアル装置により自動的に開始され、例として、ビデオ入力信号がない「ＴＶ」タイプのネットワーク化オーディオビジュアル装置は、「全ての入力に対するビデオ入力信号がない」という値を有する装置メッセージ領域９０４を初期化し、他の例としては、黒色インクがない「カラープリンタ」タイプのネットワーク化オーディオビジュアル装置に関し、「黒色インクがない」という値を有する装置メッセージ領域９０４によって初期化する。
【００５７】
第６のステップでは、ネットワーク化オーディオビジュアル装置１０６，１０７は、長距離／高速度オーディオビジュアル無線ネットワーク１０２上で、ユビキタスパーソナルコントローラ１０５に対して、第３の信号６０２に含まれる情報に基づいてユーザメッセージ領域８０５及び装置メッセージ領域９０４の少なくとも一方、並びに第３の信号６０２に含まれるユーザアイデンティティ及び部屋識別情報を送信する。
【００５８】
ネットワーク化オーディオビジュアル装置１０６，１０７内に位置する装置メッセージテーブル９００は、第３の信号６０２内のユーザ情報と一致するユーザ領域９０２を有するレコードを含み、同一レコードのユーザプロファイル領域９０３が、こうしたユーザが、現在のネットワーク化オーディオビジュアル装置１０６，１０７の装置のタイプに関するイベントを処理することができることを指示し、装置メッセージ領域９０４が、同一レコード内で開始された場合、信号を受信するネットワーク化オーディオビジュアル装置１０６，１０７は、装置メッセージを含む信号をユビキタスパーソナルコントローラ１０５に送信し、次に、ユビキタスパーソナルコントローラ１０５は、信号を受信した後、こうしたメッセージをメッセージディスプレイ２０６上に表示する。
【００５９】
ネットワーク化オーディオビジュアル装置１０６，１０７のユーザメッセージテーブル８００は、第３の信号６０２に含まれるユーザ情報と一致するユーザ領域８０２を有するレコードを含み、同一レコードの部屋識別領域８０３が、第３の信号に含まれる部屋識別情報と一致した場合、同一レコードの条件領域が真である場合、信号を受信するネットワーク化オーディオビジュアル装置は、同一レコードのユーザメッセージ領域８０５を含む信号をユビキタスパーソナルコントローラ１０５に送信し、次に、ユビキタスパーソナルコントローラ１０５は、信号を受信した後、こうしたユーザメッセージをメッセージ２０６上に表示する。
【００６０】
本実施の形態において、本発明の構造及び動作の原理を理解し易くするために、詳細を含む特定の実施の形態に関して説明した。本明細書において特定の実施の形態及びその詳細に言及する場合、本明細書に付随する特許請求の範囲を制限することを意図するのではない。当業者にとって、本発明の精神及び範囲を逸脱することなく、具体的に示すために選択された実施の形態に修正を加えることできることは明白である。特に、当業者にとっては、本発明の好ましい実施の形態は、ＵＰｎＰ対応機器に使用されるが、本発明は、その他の適切な何らかのネットワークデバイスに実行するか、又はその他の何らかの適切なプロトコルを使って実行することができることは明白である。
【００６１】
本実施の形態によれば、先行技術のこれらの欠点を克服することができる。本実施の形態は、検出（制御）メッセージによる無駄なトラフィックを減少させるため、適切且つユーザと同じ部屋内の同一場所に存在する装置に対してのみ検出プロトコルを開始し、データ（ＡＶ）トラフィック用のホームネットワーク帯域幅を節約することを提案する。
【００６２】
更に、短距離の低速無線制御ネットワーク（例えば、ジグビー）は、本実施の形態において使用される特定メッセージの送信／受信をサポートするために導入する。本実施の形態が適用される代表的な環境は、ＡＶ無線又は有線ＡＶホームネットワーク、及びこれらに付属するＡＶ装置及び装置コントローラである。また、上記の２種類のネットワークを別として、個々に所有され、特定のユーザに関連し、ユーザメッセージ又は装置メッセージ（例えば、プリンタにリンクしていない等）、装置（特に、ロケーションベース装置）を提供する部屋識別情報、及びＡＶ装置（例えば、ＤＴＶ、ＤＶＤレコーダ、セットトップボックス等）を表示することが可能な無線ユビタキス遠隔コントローラを含む。ユビキタスパーソナルコントローラは、少なくともプリゼンスボタン、好ましくは主高速ＡＶ無線ホームネットワークとは異なる低速制御無線ネットワークとのインターフェースを有する。被制御ＡＶ装置は、ＡＶデータネットワークに対する少なくとも１つのインターフェースを有する。ロケーションベース装置は、低速無線制御ネットワークに対するインターフェースのみを有する。
【００６３】
本実施の形態において、ホームユーザは、付近に、即ち同一部屋内に存在するＡＶ装置を使用及び制御する意図がある時に、プリゼンスボタンを押す。この動作は、コントローラのユーザオーナのユーザＩＤを含む送信メッセージの生成をトリガする。そして、ロケーションベース装置（ビーコン装置）がこのメッセージを受信すると、これらの装置をトリガして、ユビキタスコントローラも接続されている低速無線制御ネットワーク上で、部屋ＩＤを有するメッセージを送信する。そして、複数のロケーションベース装置からのこうした部屋ＩＤメッセージに関する特定の最小強度レベルを有する特定数の受信信号を測定することにより、ユビキタスコントローラは、そのロケーション及び部屋ＩＤを決定することができる。ユビキタスコントローラは、最終的に、少なくともＡＶデータネットワーク上（ＡＶ装置が両方のネットワークインターフェースを有する場合、低速制御ネットワーク上）のユーザＩＤ及び部屋ＩＤを有する全てのＡＶ装置に最終メッセージを送信する。そして、夫々の部屋ロケーションを把握している全てのＡＶ装置は、真である場合、即ち、オーディオビジュアル装置がユーザと同じ部屋内に位置する場合に（ＵＰｎＰ、ＷＳ検出等）、夫々の特定の検出プロトコルに従ってサービス告知メッセージの送信を開始し、ＵＰｎＰ制御ポイントはサーチリクエストの送信を開始する。好ましい実施の形態は、これは、ＵＰｎＰサービス告知である。ユーザＩＤ、部屋ＩＤ及びユーザメッセージに応じて、ＡＶ装置は、装置アラート（例えば、インク無）を生成するか、又はその他のユーザのメッセージを中継する。
【００６４】
本実施の形態は、詳細には、第１装置、第２装置及び第３装置から成るシステムにおいて、ユーザが、第２装置及び第２装置の検出プロセスの付近の部屋内に位置する第１装置を使用することにより作動させ、第１装置がユーザプリゼンス通知手段を有し、第１装置付近の部屋内に位置する第３装置からロケーション情報を取得し、第２装置が、検出可能なサービスを提供及び／又は消費し、少なくとも１個の第１通信手段が第１装置と第２装置との間に存在し、少なくとも１個の第２通信手段が第１装置と第３装置との間に存在する方法であって、ユーザがユーザプリゼンス通信手段を操作するステップと、第１装置が第２通信手段を使用して、第１信号を放送するステップと、第２通信手段を使用して第１信号を受信し、第３装置が第１信号を処理するステップと、第３装置が第１通信を使用して、ロケーション情報を含む第２信号を放送するステップと、第１装置が、第１通信手段を使用して第２信号を受信し、第２装置を処理するステップと、第１装置が第２通信手段を使用して第３信号を放送するステップと、第２装置が、第２通信手段を使用して第３信号を受信し、第３信号を処理するステップと、ユーザの付近に位置する第２装置のみが、検出可能なサービスの告知及び／又は検出可能なサービスのサーチを開始するステップとを含む方法を提供することである。
【００６５】
本実施の形態によれば、ロケーション情報が少なくとも部屋識別である上記の方法を拡張することを提案する。その他の拡張は、第３信号が少なくともユーザアイデンティティ及び部屋識別を含む場合である。本実施の形態は、検出可能なサービスが、検出可能なオーディオビジュアルサービスであり、第１装置及び／又は第２装置（複数）が、検出可能なオーディオビジュアルサービスを提供するか、及び／又は消費する時にさらに拡張することができる。本実施の形態は、さらに、第１通信手段及び第２通信手段が同じである場合に同様に適用される。この方法は、さらに本実施の形態では、第１通信手段がホームネットワークであり、第２通信手段がホームネットワークである場合に同様に適用される。本実施の形態では、さらに第１通信手段が無線ホームネットワークであり、第２通信手段が無線ホームネットワークである場合に適用される。本実施の形態では、さらに第１通信手段が高速及び／又は長距離無線ホームネットワークであり、第２通信手段が低速及び／又は短距離無線ホームネットワークである場合に適用される。これは、さらに第１通信手段がワイファイアライアンス仕様に準拠し、第２通信手段がＩＥＥＥ８０２．１５．４「無線パーソナルエリアネットワーク」規格に準拠している場合に適用される。本実施の形態は、さらに第２装置のサービスの告知及びサービスに対するサーチが、ＵＰｎＰ仕様に使用されるＳＳＤＰ検出プロトコルに従って行われる場合に適用される。
【００６６】
本実施の形態は、詳細には、第１装置がメッセージ出力手段を有し、第２装置（複数）が数個のレコードを含む装置メッセージテーブル手段を有し、各々のレコードが、ユーザアイデンティティ、ユーザプロファイル、装置メッセージを有するように上記方法を拡張することであり、方法は、以下が出現する。即ち、第３信号に含まれるユーザアイデンティティが、装置メッセージテーブル手段の少なくとも１個のレコードに含まれる少なくとも１個のユーザアイデンティティに対応し、装置メッセージテーブル手段が、装置メッセージを有する少なくとも１個のレコードを含む場合に、第１装置に対する第２装置による装置（複数）メッセージの生成及び送信をトリガし、第１装置のメッセージ出力手段による装置（複数）メッセージを出力する。
【００６７】
本実施の形態の詳細は、第１装置がユーザメッセージ出力手段を有し、第２装置がユーザメッセージ記録手段、条件評価手段、及び数個のレコードを含むユーザメッセージテーブル手段を有し、各々のレコードが、ユーザアイデンティティ、部屋識別、条件を有する状況に上記方法を拡張することであり、方法は、ユーザメッセージを第２装置（複数）に記録するステップと、次にユーザメッセージ生成及び送信条件を設定するステップとを含み、方法は、以下が出現する。即ち、第２装置（複数）が第３信号を受信及び処理し、第３信号に含まれるユーザアイデンティティ、部屋識別が、ユーザメッセージテーブル手段の少なくとも１個のレコードのユーザアイデンティティ、部屋識別に対応し、条件が満たされる場合に、第１装置に対するユーザメッセージの生成及び送信をトリガし、第１装置のメッセージ出力手段を使用してユーザメッセージを出力する。
【００６８】
本実施の形態は、第１装置、第２装置（複数）及び第３装置（複数）から成るシステムであって、ユーザが、部屋内の第２装置（複数）付近に位置する第１装置を使用して、第２装置（複数）の検出プロセスを行い、第１装置が、部屋内の第１装置付近に位置する第３装置（複数）からロケーション情報を取得し、第２装置（複数）が、検出可能なサービスを提供及び／又は消費することが可能であり、第３装置（複数）が、ロケーション情報を含む第１信号を連続的に放送し、部屋内の第１装置付近に位置し、第１装置と第２装置（複数）との間に、少なくとも１個の第１通信手段が存在し、第１装置と第３装置（複数）との間に、少なくとも１個の第２通信手段が存在するシステムを提供することであり、方法は、第２通信手段を使用して第１信号を受信し、第１装置により第１信号を処理するステップと、第１装置が第１通信手段を使用して、ロケーション情報及びユーザ識別を含む第２信号を放送するステップと、第２通信手段を使用して第２信号を受信し、第２装置（複数）により第２信号を処理するステップと、第２装置（複数）によるサービスの告知及び／又はサービスのサーチを開始するステップとを含む。
【００６９】
本実施の形態は、ネットワーク装置に対する検出プロトコルの負荷を減少させ、ユーザがシステム付近に存在することを検出し、ユーザを識別することにより、システムのユーザに対して個別条件付きメッセージングを行い、第１装置、第２装置（複数）及び第３装置（複数）を含むパーソナルユビタキス制御システムであって、第１装置が、部屋内の第１装置付近に位置する第３装置（複数）からロケーション情報を取得し、ユーザプリゼンス通知手段と、第１信号処理手段と、第２装置（複数）との少なくとも１個の第１通信手段と、第３装置（複数）との少なくとも１個の第２通信手段とを有し、第２装置（複数）が、検出可能なサービスを提供及び／又は消費することが可能で、第２信号処理手段と、第１装置との第１通信手段とを有し、第３装置（複数）が第３信号処理手段と、部屋識別記憶手段と、第１装置（複数）との第２通信手段とを有し、ユーザが、第１装置のユーザプリゼンス通知手段を使用し、部屋内の第２装置（複数）付近に位置して、以下のステップ、即ち、ユーザがユーザプリゼンス通信手段を操作するステップと、第１装置が第２通信手段を使用して、第１信号を放送するステップと、第２通信手段を使用して第１信号を受信し、第３信号処理手段を使用して、第３装置（複数）が第１信号を処理するステップと、第３装置が第１通信手段を使用して第２信号を放送するステップと、第１通信手段を使用して第２信号を受信し、第１装置が第１信号処理手段を使用して処理するステップと、第１装置が第２通信手段を使用して、第３信号を放送するステップと、第２通信手段を使用して第３信号を受信し、第２装置（複数）が第２信号処理手段を使用して、第３信号を処理するステップと、第２装置（複数）によるサービスの告知及び／又はサービスのサーチを開始するステップとに従って第２装置（複数）の検出プロセスを開始するシステムを提供することである。システム（上記のパーソナルユビタキス制御システム）内の第１装置は、第２装置（複数）との少なくとも１個の第１通信手段と、第３装置（複数）との少なくとも１個の第２通信手段と、ユーザプリゼンス通知手段と、第１信号処理手段とを有する。システム（上記のパーソナルユビタキス制御システム）内の第２装置（複数）は、第１装置（複数）との少なくとも１個の第１通信手段と、第２信号処理手段とを有する。システム（上記のパーソナルユビタキス制御システム）内の第３装置（複数）は、第１装置（複数）との少なくとも１個の第２通信手段と、第３信号処理手段と、部屋識別記憶手段とを有する。
【００７０】
本実施の形態は、第１装置がメッセージ出力手段を有し、第２装置（複数）が、数個のレコードを含む装置メッセージテーブル手段を有し、各々のレコードが、ユーザアイデンティティ、ユーザプロファイル、装置メッセージを有するように上記システムをさらに拡張し、以下が出現する。即ち、第３信号に含まれるユーザアイデンティティが、装置メッセージテーブル手段の少なくとも１個のレコードに含まれる少なくとも１個のユーザアイデンティティに対応し、装置メッセージテーブル手段が、装置メッセージを有する少なくとも１個のレコードを含む場合に、第１装置に対する第２装置による装置（複数）メッセージの生成及び送信をトリガして、第１装置のメッセージ出力手段により装置（複数）メッセージを出力する。
【００７１】
また、本実施の形態によれば、第１装置がメッセージ出力手段を有し、第２装置（複数）がユーザメッセージ記録手段と、条件評価手段と、数個のレコードを含むユーザメッセージテーブル手段とを有し、各々のレコードが、ユーザアイデンティティ、部屋識別、条件を有するように上記システムをさらに拡張し、ユーザメッセージを第２装置（複数）のユーザメッセージテーブル手段に記録した後、及びユーザメッセージ生成及び送信条件を設定した後、以下が出現する。即ち、第２装置（複数）が第３信号を受信及び処理し、第３信号に含まれるユーザアイデンティティ、部屋識別が、ユーザメッセージテーブル手段の少なくとも１個のレコードのユーザアイデンティティ、部屋識別に対応し、条件が、第２装置が第３信号を受信した時点で、条件評価手段に従って満たされた場合に、第１装置に対するユーザメッセージの生成及び送信をトリガして、第１装置のメッセージ出力手段を使用して、ユーザメッセージを出力する。
【図面の簡単な説明】
【００７２】
【図１】本発明の実施の形態に係るネットワークシステムの構成を概略的に示すブロック図である。
【図２】図１におけるユビキタスパーソナルコントローラのハードウェア構成を概略的に示すブロック図である。
【図３】図１におけるネットワーク化オーディオビジュアル装置のハードウェア構成を概略的に示すブロック図である。
【図４】図１におけるロケーションベース装置のハードウェア構成を概略的に示すブロック図である。
【図５】従来の検出プロトコルを示す。
【図６】図１のシステムの検出プロトコルを示す。
【図７】図２におけるＲＡＭに記憶されるユーザロケーションテーブルを説明する図である。
【図８】図３におけるＲＡＭに記憶されるユーザメッセージテーブルを説明する図である。
【図９】図３におけるＲＡＭに記憶される装置メッセージテーブルを説明する図である。
【符号の説明】
【００７３】
１００  ネットワークシステム
１０１  短距離／低速度制御無線ネットワーク
１０２  長距離／高速度オーディオビジュアル無線ネットワーク
１０３，１０４  ロケーションベース装置
１０５  ユビキタスパーソナルコントローラ
１０６，１０７  ネットワーク化オーディオビジュアル装置
１０８  ユーザ
【図１】
2007180839.tif 000003
【図２】
2007180839.tif 000004
【図３】
2007180839.tif 000005
【図４】
2007180839.tif 000006
【図５】
2007180839.tif 000007
【図６】
2007180839.tif 000008
【図７】
2007180839.tif 000009
【図８】
2007180839.tif 000010
【図９】
2007180839.tif 000011